(57)【特許請求の範囲】
【請求項１】
セグメントの組み立てにより一次覆工を構築したシールドトンネル内に水平隔壁と、該水平隔壁下の空間を左右に仕切る垂直隔壁とを築造するシールドトンネル内の隔壁築造方法において、
前記垂直隔壁を構成させるプレキャストコンクリート製の垂直隔壁ブロックと、該垂直隔壁の上端からそれぞれトンネル両側の内面に到る左側水平隔壁ブロックと右側水平隔壁ブロックを別々に形成しておき、前記垂直隔壁ブロックを一次覆工完了後のシールドトンネル内に搬入して立てた後、左右側の各水平隔壁ブロックを搬入し、該ブロックをそれぞれ一端側を前記垂直隔壁ブロックの上端に他端側を前記トンネルの一次覆工内面に突設した受け台にそれぞれ支持させて固定し、同様にして前記各垂直隔壁ブロック及び両水平隔壁ブロックをそれぞれ順次並べて設置することにより連続した水平隔壁と垂直隔壁を築造することを特徴としてなるシールドトンネル内の隔壁築造方法。
【請求項２】
受け台は組み立て前のセグメントに予め突設しておき、該セグメントを所定の位置に組み込むことにより一次覆工の内面に受け台を突設させる請求項１に記載のシールドトンネル内の隔壁築造方法。
【請求項３】
トンネル内底部に打設するインバートコンクリートの上面に、垂直隔壁ブロックの下端を挿入させるための溝を設け、該溝内に前記垂直ブロックの下端を挿入して立てた後、水平隔壁ブロックを固定する請求項１に記載のシールドトンネル内の隔壁築造方法。
【請求項４】
溝内に垂直ブロックの下端を挿入後、該溝内の空隙をモルタルで充填することにより、該垂直ブロックを立てる請求項３に記載のシールドトンネル内の隔壁築造方法。
【請求項５】
溝内に垂直ブロックの下端を挿入後、仮支え材にて支えることにより、該垂直ブロックを立てる請求項３に記載のシールドトンネル内の隔壁築造方法。
【発明の詳細な説明】
【０００１】
【発明の属する技術分野】
本発明は、セグメントの組み立てにより一次覆工を形成するシールドトンネル内に、水平及び垂直の隔壁を築造するシールドトンネル内の隔壁築造方法に関する。
【０００２】
【従来の技術】
従来、シールドトンネルにおいて、トンネル内部を水平及び垂直の隔壁をもって仕切り、仕切られた各空間をそれぞれ各種の用途に使用することが一般に行われている。
【０００３】
この隔壁の構築に際し従来は、セグメントによる一次覆工の内面に場所打ちコンクリートによる二次覆工を打設していたため、隔壁の構築もこれと同様に場所打ちコンクリートによる築造が一般的であった。
【０００４】
しかし近年においては、シールドトンネルの一次覆工自体の止水性、内面平滑性、防錆機能の向上により、二次覆工の省略が可能になってきている。また隔壁の築造についても、垂直隔壁に関してはプレキャスト版の使用が検討されている。
【０００５】
また、従来の隔壁築造方法では、隔壁を覆工に固定するために、二次覆工が構築される場合には、その構築時にアンカー筋を埋め込んでおき、これと一体に場所打ちの隔壁を築造しており、二次覆工がない場合は、組み立てられたセグメントに、予めアンカーホールを設けておくか、後付けアンカーを、打ち込みなどによって設置し、これに支持させて場所打ちの隔壁を築造している。
【０００６】
【発明が解決しようとする課題】
このような従来の隔壁築造方法にあっては、ほとんどが場所打ちにより築造されるものであるため、型枠の組み立てや、そのための支保工の設置、多量のコンクリートの打設等の多数の作業を狭いトンネル内にて行わなければならず、工期も長く要する等の問題があった
本発明は、このような従来の問題に鑑み、少ない工数で、短期間にて隔壁築造ができるシールドトンネル内の隔壁築造方法の提供を目的としてなされたものである。
【０００７】
【課題を解決するための手段】
上述の如き従来の問題を解決し、所期の目的を達成するための本発明の特徴は、セグメントの組み立てにより一次覆工を構築したシールドトンネル内に水平隔壁と、該水平隔壁下の空間を左右に仕切る垂直隔壁とを築造するシールドトンネル内の隔壁築造方法において、
前記垂直隔壁を構成させるプレキャストコンクリート製の垂直隔壁ブロックと、該垂直隔壁の上端からそれぞれトンネル両側の内面に到る左側水平隔壁ブロックと右側水平隔壁ブロックを別々に形成しておき、前記垂直隔壁ブロックを一次覆工完了後のシールドトンネル内に搬入して立てた後、左右側の各水平隔壁ブロックを搬入し、該ブロックをそれぞれ一端側を前記垂直隔壁ブロックの上端に他端側を前記トンネルの一次覆工内面に突設した受け台にそれぞれ支持させて固定し、同様にして前記各垂直隔壁ブロック及び両水平隔壁ブロックをそれぞれ順次並べて設置することにより連続した水平隔壁と垂直隔壁を築造することにある。
【０００８】
尚、受け台は組み立て前のセグメントに予め突設しておき、該セグメントを所定の位置に組み込むことにより一次覆工の内面に受け台を突設させてもよく、予めセグメントに受け台取り付け用の埋め込み栓を備えておき、一次覆工完了後に該埋め込み栓にボルトを螺嵌して、受け台を固定してもよい。また、トンネル内底部に打設するインバートコンクリートの上面に、垂直隔壁ブロックの下端を挿入させるための溝を設け、該溝内に前記垂直ブロックの下端を挿入して立てた後、水平隔壁ブロックを固定した方が好ましく、また、溝内に垂直ブロックの下端を挿入後、該溝内の空隙をモルタルで充填することにより、該垂直ブロックを立ててもよく、溝内に垂直ブロックの下端を挿入後、仮支え材にて支えることにより、該垂直ブロックを立ててもよい。
【０００９】
【作用】
本発明においては、プレキャストコンクリート製の垂直隔壁ブロック及び両水平隔壁ブロックを搬入し、垂直隔壁ブロックを立てた後、両水平ブロックをそれぞれ、垂直隔壁と一次覆工内面の受け台との間にそれぞれ架設し、これを並べることににより、水平隔壁と垂直隔壁が順次構築される。その際のトンネル内作業はブロックの搬入、据付、ボルト止め及び部分的なモルタル打ちが必要であるが、全体として作業工数が少なく、部材の高所への吊り上げや、作業者の高所における不安定な場所での危険作業が少なく、安全性が高い。
【００１０】
【実施の形態】
次に本発明の実施の形態を図面示した実施例について説明する。
【００１１】
図１は、本発明方法にて築造される隔壁の一例を示しており、図において、１はセグメントを組み立てて形成した一次覆工である。この一次覆工１を施したトンネルの略上半部をトンネル掘進作業に必要な輸送空間として使用しており、一次覆工の両側部の中央稍上側の対称な位置に取り付けたブラケット２，２に枕木３を一定間隔毎に支持させ、その上にレール４，４を付設して作業台車５が走行できるようにするとともに、図には示してないが、各種の配線、配管を枕木上の空間に設置する。
【００１２】
また、トンネル内の一次覆工１の構築時に、予め、受け台１０を一体に突設した受け台付きセグメント１１をトンネル両側部に使用し、一次覆工１の構築と同時に受け台１０，１０をトンネル内面の左右の位置に突設させている。
【００１３】
受け台付きセグメント１１は、図５に示すように、セグメントの成形時に弧状をしたセグメント本体１１ａの内側面に、幅方向に連続させて受け台１０を突設させたものを使用する。受け台１０の上面には隔壁固定用のアンカーナットからなる埋め込み栓１２を設置しておく。
【００１４】
この他、図８に示すようにセグメント本体１１ａの内面の所定位置に、アンカーナットからなる埋め込み栓１３を設置しておき、これに別途成形した受け台ピース１０ａをボルト１４を介して固定してもよい。尚、この受け台ピース１０ａを使用する場合は、セグメントによる一次覆工１の構築後に受け台ピース１０ａを取り付けることにより、受け台１０を突設させてもよい。
【００１５】
このようにしてシールドトンネルを順次掘進し、その一次覆工完了後のトンネル内において、枕木３下に異物落下防止シート（図示せず）を敷設する。然る後、インバートコンクリート２１を打設する。このインバートコンクリートの打設に際し、その上面の垂直隔壁の設置位置に垂直隔壁ブロック２０の下端を挿入させるための溝３１を形成しておく。このインバートコンクリート２１の固化後
、図２に示すように台車３０ａによりプレキャストコンクリート製の垂直隔壁ブロック２０をトンネル内に搬入する。
【００１６】
そして搬入された垂直隔壁ブロック２０下端を溝３１内に挿入し、該ブロック２０の側面とインバートコンクリート２１の表面間に斜材からなる仮支え材３２を固定して立て、溝３１内の空隙をモルタル３３にて埋める。
【００１７】
次いで、図３に示すように左右側の各水平隔壁ブロック２２、２３をそれぞれ台車３０ｂによりインバートコンクリート２１上を搬入し、それぞれを垂直隔壁Ａの上端と受け台１０、１０との間に架設する。
【００１８】
尚、水平隔壁ブロック２２、２３は図４に示すように、一次覆工のセグメントリングＣの幅の２倍の幅に成形し、１つおきのセグメントリングＣに受け台１０を突設し、互いに隣り合う各水平隔壁部ブロック２２又は２３の両端の縁部を１つの受け台１０上で接合させて支持させる。尚、トンネルの曲率の大きさによっては、セグメントリングＣ、水平隔壁ブロック２２、２３の幅を同じくしてもよい。
【００１９】
垂直隔壁ブロック２０の上端には、図７に示すように両側に段状の受部２４、２４を予め成形しておくとともに、その受部にアンカーナットからなる埋め込み栓２５、２５を埋設しておき、各水平隔壁ブロック２２、２３の端部を貫通させたボルト２６、２６をこれに螺嵌させることにより固定させる。また、図６に示すように各水平隔壁ブロック２２、２３の一次覆工内面側端部も予め形成したボルト用穴にボルト２７、２７を上下に貫通させて受け台１０、１０の埋め込み栓１２、１２に螺嵌することによってそれぞれ固定するとともに、各ブロック２２、２３の端面とセグメント本体１１ａの内側側面との間の隙間をモルタル２８、２８にて埋める。
【００２０】
このようにして順次水平隔壁ブロック２２、２３を並べて架設することにより、連続した水平隔壁Ｂを築造する。
【００２１】
尚、図示のように垂直隔壁Ａをトンネル内の左右いずれかの側に片寄せすることにより、これによって仕切られる片側の空間が、その上に架設する水平隔壁ブロック２３の搬入に充分な広さがない場合は、広い側の水平隔壁ブロック２２を架設後、図９に示すように該水平隔壁ブロック２２上に台車３０ｃを走行させて水平隔壁ブロック２３の搬入、架設を行う。
【００２２】
【発明の効果】
上述したように本発明の方法においては、シールドトンネル内にプレキャストコンクリート製の垂直隔壁ブロック及び左右分割の水平隔壁ブロックをそれぞれ搬入し、垂直隔壁ブロックをトンネル内底部に支持させて立設した後、両水平隔壁ブロックを先に立設された垂直隔壁ブロックの上端とトンネル一次覆工内面の受け台との間に掛け渡して固定することにより、水平、垂直の隔壁を築造するようにしたため、従来の場所打コンクリートによる構築に比べて搬入する質材及び作業工数が著しく少なく、工期短縮され、また不安定な足場の高所作業や設材の吊り上げ等の作業が少なく、安全性が高い。
【００２３】
また、水平、垂直の隔壁をそれぞれ別々の隔壁ブロックにより構成させたことにより、ブロックの搬入を容易なものとすることができる。
【００２４】
更に、予め受け台を設置した受け台付きセグメントを使用することにより、従来のようなトンネルにおけるアンカー筋や埋め込み栓の打ち込み等の作業が不要になり、トンネル内での作業性が著しく向上し、工期の短縮、工費の節減がなされる。
【図面の簡単な説明】
【図１】本発明方法により築造される隔壁の一例の断面図である。
【図２】同上の垂直隔壁ブロック搬入工程の断面図である。
【図３】同上の水平隔壁ブロック搬入工程の断面図である。
【図４】本発明方法における受け台に対する水平隔壁ブロック配置の一例を示す縦断側面図である。
【図５】本発明方法に使用する受け台付きセグメントの一例の斜視図である。
【図６】本発明方法における受け台に対する水平隔壁ブロックの固定状態の一例を示す断面図である。
【図７】本発明方法における垂直隔壁と水平隔壁ブロックの固定状態の一例を示す断面図である。
【図８】本発明における受け台の他の例の断面図である。
【図９】本発明方法における水平隔壁ブロックの搬入工程の他の側の断面図である。
【符号の説明】
１  一次覆工
２  ブラケット
３  枕木
４  レール
５  作業台車
１０  受け台
１０ａ  受け台ピース
１１  受け台付きセグメント
１１ａ  セグメント本体
１２，１３  埋め込み栓
１４  ボルト
２０  垂直隔壁ブロック
２１  インバートコンクリート
２２  右側水平隔壁ブロック
２３  左側水平隔壁ブロック
２４  受部
２５  埋め込み栓
２７  ボルト
２８  モルタル
３０ａ、３０ｂ、３０ｃ  台車
３１  溝
３２  仮支え材
３３  モルタル
Ａ  垂直隔壁
Ｂ  水平隔壁
【図１】
0003876429.tif 000002
【図２】
0003876429.tif 000003
【図３】
0003876429.tif 000004
【図４】
0003876429.tif 000005
【図５】
0003876429.tif 000006
【図６】
0003876429.tif 000007
【図７】
0003876429.tif 000008
【図８】
0003876429.tif 000009
【図９】
0003876429.tif 000010